(57)【要約】【課題】利便性の高い通信装置等を提供する。【解決手段】通信装置Ｓは、室内に設置された親機２と、当該親機２と通信可能な室外に設置された子機１と、を備えた通信装置Ｓにおいて、住民に通知すべき通知情報を取得する通知情報取得手段２２ｃと、生体情報を含む住民情報と、前記通知情報と、を記憶する前記親機に設けられた記憶手段３０と、来訪者又は住民の生体情報を取得する前記子機１に設けられた生体情報取得手段１４と、前記生体情報取得手段１４により取得した生体情報を前記記憶手段３０に記憶された住民情報と照合し、住民であるか否かを判断する住民判断手段２２ｂと、前記判断の結果、住民であると判断した場合に、前記通知情報が前記記憶手段３０に記憶されているか否かを検索する検索手段２２ｄと、前記検索の結果、通知情報が前記記憶手段３０に記憶されている場合に、前記生体情報を取得した子機から前記通知情報を出力させる出力制御手段２２ｅと、を備えている。【選択図】図１
2010258900.tif 000002
【特許請求の範囲】
【請求項１】
室内に設置された親機と、当該親機と通信可能な室外に設置された子機と、を備えた通信装置において、
住民に通知すべき通知情報を取得する通知情報取得手段と、
生体情報を含む住民情報と、前記通知情報と、を記憶する前記親機に設けられた記憶手段と、
来訪者又は住民の生体情報を取得する前記子機に設けられた生体情報取得手段と、
前記生体情報取得手段により取得した生体情報を前記記憶手段に記憶された住民情報と照合し、住民であるか否かを判断する住民判断手段と、
前記判断の結果、住民であると判断した場合に、前記通知情報が前記記憶手段に記憶されているか否かを検索する検索手段と、
前記検索の結果、通知情報が前記記憶手段に記憶されている場合に、前記生体情報を取得した子機から前記通知情報を出力させる出力制御手段と、
を備えていることを特徴とする通信装置。
【請求項２】
前記通知情報は、住民毎に対応して記憶され、前記住民判断手段は、生体情報により各住民を判別し、前記検索手段は、各住民に対応する通知情報が前記記憶手段に記憶されているか否かを検索することを特徴とする請求項１に記載の通信装置。
【請求項３】
前記住民判断手段は、住民であると判断した場合に、更に前記住民が外出か帰宅かを判断し、
前記検索手段は、住民の外出又は帰宅に応じた通知情報が前記記憶手段に記憶されているか否かを検索することを特徴とする請求項１、又は２に記載の通信装置。
【請求項４】
来訪者に応対するための来訪者応対情報を前記記憶手段に予め記憶しておき、
前記検索手段は、前記住民判断手段による判断の結果、住民でないと判断した場合に、前記来訪者応対情報が前記記憶手段に記憶されているか否かを検索し、前記出力制御手段は、前記検索の結果、前記来訪者応答情報が前記記憶手段に記憶されている場合に、前記生体情報を取得した子機から前記来訪者応答情報を出力させることを特徴とする請求項１乃至３のいずれか一項に記載の通信装置。
【請求項５】
生体情報を含む来訪者情報を前記記憶手段に予め記憶しておき、
前記生体情報取得手段により取得した生体情報を前記記憶手段に記憶された来訪者情報と照合し、来訪者を特定する来訪者特定手段と、を更に具備し、
前記検索手段は、前記来訪者特定手段により来訪者を特定できた場合に、特定した前記来訪者に対応する来訪者応対情報が前記記憶手段に記憶されているか否かを検索し、
前記出力制御手段は、前記検索の結果、特定した前記来訪者に対応する来訪者応対情報が前記記憶手段に記憶されている場合に、前記生体情報を取得した子機から前記来訪者応対情報を出力させることを特徴とする請求項１乃至４のいずれか一項に記載の通信装置。
【請求項６】
前記生体情報取得手段は、生体情報とともに住民の外出又は帰宅情報を取得し、
前記生体情報と住民の外出又は帰宅情報を取得した結果、すべての住民が外出したか、又は住民の少なくとも一人が帰宅したかを判断する外出判断手段と、
前記外出判断手段が、すべての住民が外出したと判断した場合には、節電状態となるように前記子機を稼動させ、住民の少なくとも１人が帰宅したと判断した場合には、通常状態となるように子機を稼動させる稼動制御手段と、
を更に備えていることを特徴とする請求項１乃至５のいずれか一項に記載の通信装置。
【請求項７】
前記親機は、回線を介して入力される着信信号に対して前記回線を閉結し、前記回線を通じて送られてくる通信情報を前記住民用通知情報として各住民に対応させて記憶する記憶制御手段を更に備えていることを特徴とする請求項１乃至６のいずれか一項に記載の通信装置。
【請求項８】
室内に設置され、生体情報を含む住民情報を記憶する記憶手段を具備した親機と、当該親機と通信可能な室外に設置された子機と、を備えた通信方法において、
住民に通知すべき通知情報を取得する通知情報取得工程と、
前記通知情報を前記記憶手段に記憶する記憶工程と、
来訪者又は住民の生体情報を取得する前記子機に設けられた生体情報取得工程と、
前記生体情報取得手段により取得した生体情報を前記記憶手段に記憶された住民情報と照合し、住民であるか否かを判断する住民判断工程と、
前記判断の結果、住民であると判断した場合に、前記通知情報が前記記憶手段に記憶されているか否かを検索する検索工程と、
前記検索の結果、通知情報が前記記憶手段に記憶されている場合に、前記生体情報を取得した子機から前記通知情報を出力させる出力制御工程と、
を備えていることを特徴とする通信方法。
【請求項９】
コンピュータを、
請求項１乃至７の何れか１項に記載の通信装置として機能させることを特徴とする制御プログラム。
【発明の詳細な説明】
【技術分野】
【０００１】
本発明は、例えば玄関の外側に設置された玄関子機と、室内に設置された親機を備える通信装置等の技術分野に関する。
【背景技術】
【０００２】
この種の通信装置に関する一般的な技術として、室外に設置された玄関子機と、室内に設置された親機と、を備え、玄関子機に設けられた人感センサによる来訪者の有無の検知により親機のディスプレイをＯＮ／ＯＦＦ制御するインターホン装置が存在する。
【０００３】
このようなインターホン装置に様々な機能を付加することでより利便性を高めることが可能であり、様々な機能を付加した通信装置が提案されている（特許文献１乃至特許文献３を参照）。
【０００４】
例えば特許文献１には、室外に設置され、来訪者を撮影するためのカメラを含む玄関子機を備え、当該玄関子機により来訪者を撮影し、その撮影された来訪者の画像を基に個人識別を行い、識別された来訪者の情報を音声により外出先の住民に報知するドアホン装置が開示されている。
【０００５】
一方、特許文献２及び３には、来訪者があった場合に、当該来訪者の属性を取得し、当該来訪者の属性と在宅者の属性に応じて取得される応答メッセージで当該来訪者に対して応答するインターホン装置が開示されている。
【先行技術文献】
【特許文献】
【０００６】
【特許文献１】特開２００１−３３９５２４号公報
【特許文献２】特開２００７−１５０５１０号公報
【特許文献２】特開２００７−１５０５１１号公報
【発明の概要】
【発明が解決しようとする課題】
【０００７】
ところで、このような従来のインターホン装置は、来訪者に対して適切な応答ができる点で便利なものの、親機ですべての情報が管理されているため、その情報を確認するためには親機が設置されている場所まで行かないとその情報を知ることができないという不便さがある。
【０００８】
また、スケジュール管理機能を備えたインターホン装置が従来から存在しているが、外出時に親機が設置されている場所まで行く必要があるなど朝などの忙しい時間帯ではその動作をとることが難しく、結局機能を使用しないことが多い。
【０００９】
本発明は、以上の点等に鑑みてなされたものであり、利便性の高い通信装置等を提供することを課題とする。
【課題を解決するための手段】
【００１０】
上記課題を解決するために、請求項１に記載の通信装置は、室内に設置された親機と、当該親機と通信可能な室外に設置された子機と、を備えた通信装置において、住民に通知すべき通知情報を取得する通知情報取得手段と、生体情報を含む住民情報と、前記通知情報と、を記憶する前記親機に設けられた記憶手段と、来訪者又は住民の生体情報を取得する前記子機に設けられた生体情報取得手段と、前記生体情報取得手段により取得した生体情報を前記記憶手段に記憶された住民情報と照合し、住民であるか否かを判断する住民判断手段と、前記判断の結果、住民であると判断した場合に、前記通知情報が前記記憶手段に記憶されているか否かを検索する検索手段と、前記検索の結果、通知情報が前記記憶手段に記憶されている場合に、前記生体情報を取得した子機から前記通知情報を出力させる出力制御手段と、を備えていることを特徴とする。
【００１１】
また、請求項２に記載の通信装置は、請求項１に記載の通信装置において、前記通知情報は、住民毎に対応して記憶され、前記住民判断手段は、生体情報により各住民を判別し、前記検索手段は、各住民に対応する通知情報が前記記憶手段に記憶されているか否かを検索することを特徴とする。
【００１２】
また、請求項３に記載の通信装置は、請求項１、又は２に記載の通信装置において、前記住民判断手段は、住民であると判断した場合に、更に前記住民が外出か帰宅かを判断し、前記検索手段は、住民の外出又は帰宅に応じた通知情報が前記記憶手段に記憶されているか否かを検索することを特徴とする。
【００１３】
また、請求項４に記載の通信装置は、請求項１乃至３のいずれか一項に記載の通信装置において、来訪者に応対するための来訪者応対情報を前記記憶手段に予め記憶しておき、前記検索手段は、前記住民判断手段による判断の結果、住民でないと判断した場合に、前記来訪者応対情報が前記記憶手段に記憶されているか否かを検索し、前記出力制御手段は、前記検索の結果、前記来訪者応答情報が前記記憶手段に記憶されている場合に、前記生体情報を取得した子機から前記来訪者応答情報を出力させることを特徴とする。
【００１４】
また、請求項５に記載の通信装置は、請求項１乃至４のいずれか一項に記載の通信装置において、生体情報を含む来訪者情報を前記記憶手段に予め記憶しておき、前記生体情報取得手段により取得した生体情報を前記記憶手段に記憶された来訪者情報と照合し、来訪者を特定する来訪者特定手段と、を更に具備し、前記検索手段は、前記来訪者特定手段により来訪者を特定できた場合に、特定した前記来訪者に対応する来訪者応対情報が前記記憶手段に記憶されているか否かを検索し、前記出力制御手段は、前記検索の結果、特定した前記来訪者に対応する来訪者応対情報が前記記憶手段に記憶されている場合に、前記生体情報を取得した子機から前記来訪者応対情報を出力させることを特徴とする。
【００１５】
また、請求項６に記載の通信装置は、請求項１乃至５のいずれか一項に記載の通信装置において、前記生体情報取得手段は、生体情報とともに住民の外出又は帰宅情報を取得し、前記生体情報と住民の外出又は帰宅情報を取得した結果、すべての住民が外出したか、又は住民の少なくとも一人が帰宅したかを判断する外出判断手段と、前記外出判断手段が、すべての住民が外出したと判断した場合には、節電状態となるように前記子機を稼動させ、住民の少なくとも１人が帰宅したと判断した場合には、通常状態となるように子機を稼動させる稼動制御手段と、を更に備えていることを特徴とする。
【００１６】
また、請求項７に記載の通信装置は、請求項１乃至６のいずれか一項に記載の通信装置において、前記親機は、回線を介して入力される着信信号に対して前記回線を閉結し、前記回線を通じて送られてくる通信情報を前記住民用通知情報として各住民に対応させて記憶する記憶制御手段を更に備えていることを特徴とする。
【００１７】
また、請求項８に記載の通信方法は、室内に設置され、生体情報を含む住民情報を記憶する記憶手段を具備した親機と、当該親機と通信可能な室外に設置された子機と、を備えた通信方法において、住民に通知すべき通知情報を取得する通知情報取得工程と、前記通知情報を前記記憶手段に記憶する記憶工程と、来訪者又は住民の生体情報を取得する前記子機に設けられた生体情報取得工程と、前記生体情報取得手段により取得した生体情報を前記記憶手段に記憶された住民情報と照合し、住民であるか否かを判断する住民判断工程と、前記判断の結果、住民であると判断した場合に、前記通知情報が前記記憶手段に記憶されているか否かを検索する検索工程と、前記検索の結果、通知情報が前記記憶手段に記憶されている場合に、前記生体情報を取得した子機から前記通知情報を出力させる出力制御工程と、を備えていることを特徴とする。
【００１８】
また、請求項９に記載の制御プログラムは、コンピュータを、請求項１乃至７の何れか１項に記載の通信装置として機能させることを特徴とする。
【発明の効果】
【００１９】
請求項１、８、又は９に記載の発明によれば、住民の外出、又は帰宅時に、住民に通知すべき通知情報（メッセージ、スケジュール、天気予報などの情報）を玄関子機を介して知らせることができる。そのため、住民は、親機が設置されている設置場所まで前記通知情報が存在するか否かを確認しに行く必要がなくなり便利である。また、玄関子機は外出又は帰宅時に必ず通過する場所であるため、時間的な無駄がない。
【００２０】
また、請求項２に記載の発明によれば、各住民に応じて通知すべき情報を知らせることができる。
【００２１】
また、請求項３に記載の発明によれば、住民に、外出、又は帰宅に応じて通知すべき情報（メッセージ、スケジュール、天気予報などの情報）を知らせることができる。
【００２２】
また、請求項４に記載の発明によれば、住民以外の来訪者に対しては来訪者応対することが可能である。
【００２３】
また、請求項５に記載の発明によれば、来訪者の種類に応じた来訪者応対をすることが可能である。
【００２４】
また、請求項６に記載の発明によれば、通信端末で使用される消費電力の低減を図れる。
【００２５】
また、請求項７に記載の発明によれば、各住民に対応する電話、ＦＡＸの有無や伝言メッセージを、住民毎に知らせることができる。
【図面の簡単な説明】
【００２６】
【図１】本実施形態に係る通信装置の概要構成例を示す図である。
【図２】記憶部に記憶される情報テーブルの一例を示し、図２（ａ）は、個人情報テーブルに登録される情報の内容の一例を示す図、図２（ｂ）及び図２（ｃ）は通知情報テーブルの一例を示す図である。
【図３】親機における制御部の動作処理の一例を示すフローチャートである。
【図４】外出時に住民に対して通知される通知情報の通知処理の一例を示すフローチャートである。
【図５】帰宅時に住民に対して通知される通知情報の通知処理の一例を示すフローチャートである。
【図６】通知情報テーブルの登録・編集・更新処理の一例を示すフローチャートである。
【発明を実施するための形態】
【００２７】
以下、本発明の最良の実施形態を図面に基づいて説明する。なお、以下に説明する実施の形態は、電話機能及びインターホン機能を有する通信装置に対して本発明を適用した場合の実施形態である。
【００２８】
［１．通信装置の構成及び機能］
始めに、図１等を参照して、本実施形態に係る通信装置の構成及び機能について説明する。
【００２９】
図１は本実施形態に係る通信装置の概要構成例を示す図である。
【００３０】
図１に示すように、通信装置Ｓは、例えば建物（住宅やオフィス）の玄関（出入口）の外側に設置される玄関子機１（子機の一例）、及び室内に設置される親機２を備えて構成されており、玄関子機１と親機２とは例えば通信ケーブルＫを介して接続されている。なお、通信装置Ｓは、図示しないが、親機２と通信可能な（有線又は無線による）室内子機を備えている。
【００３１】
親機２は、電話回線Ｃを介して公衆電話網に接続し、外部の電話機器３やインターネット網を介して所定のサーバと通信を行うことが可能となっている。なお、電話機器３としては、据置型電話機、ファクシミリ、携帯電話機、ＩＰ電話機能を有するパソコン等が挙げられる。
【００３２】
まず、玄関子機１の構成及び機能について説明する。
【００３３】
玄関子機１は、例えば、照明部１０、マイク１１、スピーカ１２、通話制御部１３、生体情報取得手段の一例としてのカメラ１４、カメラ制御部１５、画像信号制御部１６、人感センサ１７、操作部１８、モニタ４１、表示制御部４２、及び通信Ｉ／Ｆ１９等を備えている。
【００３４】
通話制御部１３は、通信Ｉ／Ｆ１９及び通信ケーブルＫを介して親機２との間で通信を行う。即ち、通話制御部１３は、マイク１１により集音された音声を取り込み、その音声信号を通信Ｉ／Ｆ１９及び通信ケーブルＫを介して親機２に送信し、また、通話制御部１３は、親機２から通信ケーブルＫを介して送信されてきた音声信号を通信Ｉ／Ｆ１９を介して受信し、当該音声信号をスピーカ１２に出力する。
【００３５】
カメラ制御部１５は、例えば人感センサ１７により来訪者や住民が検知された場合に、カメラ１４を起動させる。また、このとき、外部の明るさに応じて照明部１０によって来訪者や住民に対して明かりが照らされる。
【００３６】
画像信号制御部１６は、カメラ１４により撮像された来訪者や住民の画像を取り込み、その画像信号を通信Ｉ／Ｆ１９及び通信ケーブルＫを介して親機２に送信する。
【００３７】
操作部１８は、住民又は来訪者によって操作されるものであって、当該操作部１８には、例えば、住民に来訪を報知するための呼出ボタンや住民の帰宅または外出を親機２に伝えるための帰宅ボタンまたは外出ボタンが設けられている。来訪者により当該呼出ボタンが押下されると、呼出信号が通信Ｉ／Ｆ１９及び通信ケーブルＫを介して親機２に送信される。また、住民により帰宅ボタン又は外出ボタンが押下されると、住民の帰宅又は外出を示す操作信号が通信Ｉ／Ｆ１９及び通信ケーブルＫを介して親機２に送信される。
【００３８】
表示制御部４２は、通信Ｉ／Ｆ１９及び通信ケーブルＫを介して親機２との間で通信を行う。即ち、表示制御部４２は、親機２から通信ケーブルＫを介して送信される画像信号を通信Ｉ／Ｆ１９を介して受信し、当該画像信号に係る画像をモニタ４１上に表示させる。
【００３９】
次に、親機２の構成及び機能について説明する。
【００４０】
親機２は、例えば、マイク２０、スピーカ２１、制御部２２、電話通信Ｉ／Ｆ２３、インターホン通信Ｉ／Ｆ２４、住民判断手段、来訪者判断手段の一例としての個人照合処理部２５、呼出音発生部２６、モニタ２７、表示制御部２８、記録制御部２９、不揮発性半導体メモリやハードディスク等からなる記憶部３０、及び複数の操作ボタンを備える操作部３１等を備えている。なお、マイク２０及びスピーカ２１は、図示しない送受話器に備えられる。
【００４１】
呼出音発生部２６は、電話機器３からのダイヤル発信により公衆電話網及び電話回線Ｃを介して送信される呼出信号、又は玄関子機１からインターホン通信Ｉ／Ｆ２４を介して送信される呼出信号を受信し、呼出音（電話機器３からの呼出信号の場合、電話のベル音、玄関子機１からの呼出信号の場合、インターホンのチャイム音）をスピーカ２１から出力させる。
【００４２】
表示制御部２８は、モニタ２７に画像を表示させる制御を行い、例えば玄関子機１からインターホン通信Ｉ／Ｆ２４を介して画像信号を受信し、当該画像信号に係る画像をモニタ２７上に表示させる。
【００４３】
記録制御部２９は、玄関子機１からインターホン通信Ｉ／Ｆ２４を介して来訪者又は住民の音声信号及び画像信号を受信して記憶部３０に記録（録画）させたり、或いは、電話機器３から送信された電話相手の音声信号を電話通信Ｉ／Ｆ２３を介して受信して記憶部３０に記憶（録音）させる。また、住民がマイク２０を介して入力した音声信号を受信して記憶部３０に記憶（録音）させる。さらに、記録制御部２９は、住民が操作部３１に設けられた操作ボタンを介して入力したスケジュールを記憶部３０に記憶させる。
【００４４】
記憶部３０には、住民、及び住民に関係のある者の情報が個人情報テーブルに記憶されている。なお、個人情報テーブルに登録された者を、以下「登録者」という。登録者の情報は住民等により、適宜登録、修正が可能になっている。
【００４５】
図２は記憶部３０に記憶される情報テーブルの一例を示し、図２（ａ）は、個人情報テーブルに登録される情報の内容の一例を示す図であり、図２（ｂ）及び図２（ｃ）は通知情報テーブルの一例を示す図である。
【００４６】
図２（ａ）に示すように、個人情報テーブルには、登録者毎に、識別情報としての登録ＩＤ、登録者の電話番号、登録者名、登録画像ＩＤ、生体情報ＩＤ、及び図示しないその他の情報（例えば、住所、電子メールなど）が対応づけられて登録されている。登録ＩＤは、登録者を識別するためのＩＤであり、電話番号は、登録者が使用する電話機器の電話番号が記憶されている。また、登録者名には登録者の名前情報が記憶され、登録画像ＩＤには登録者に関連する画像情報が記憶されている。また、生体情報ＩＤには、登録者を識別するための生体情報が記憶されている。ここでの生体情報としては、例えば登録者の顔画像情報、音声情報等が記憶される。なお、登録者と住民とを対応付けするため、登録者が住民である場合は住民ＩＤ欄に住民ＩＤ番号が記憶され、登録者が住民でない場合は、関連する住民の住民ＩＤが記憶されている。
【００４７】
また、記憶部３０には、図２（ｂ）及び図２（ｃ）に示すように、住民に通知すべき通知情報を登録するための通知情報テーブルが記憶されている。この通知情報テーブルは、帰宅した住民に通知すべき通知情報を登録するための帰宅者用の通知情報テーブルと、外出する住民に通知すべき通知情報を登録するための外出者用の通知情報テーブルと、に区分けされて記憶される。
【００４８】
図２（ｂ）に示すように、帰宅者用の通知情報テーブルには、住民ＩＤによって識別される住民毎に、スケジュールＩＤ、着信履歴ＩＤ、来訪者履歴ＩＤ、伝言メッセージＩＤが対応づけられて登録される。住民ＩＤは、個人情報テーブルにおける登録者が住民である場合の登録ＩＤに関連付けられている。スケジュールＩＤは、住民によって対応づけて登録されたスケジュールのデータの識別情報である。着信履歴ＩＤは、住民に関係のある電話相手からかかってきた未対応の着信履歴のデータの識別情報である。この着信履歴のデータとしては、着信時間、電話番号、及び電話相手（登録者）のデータなどが登録される。来訪者履歴ＩＤは、未対応の来訪者履歴のデータの識別情報である。この来訪者履歴のデータとしては、来訪者が来訪した来訪時間や来訪者（登録者）のデータなどが登録される。伝言メッセージＩＤは、来訪者、電話相手、又は住民の伝言履歴のデータの識別情報である。この伝言履歴のデータとしては、来訪者から住民への伝言メッセージ、電話相手から住民への伝言メッセージ、及び住民から他の住民への伝言メッセージの音声データなどが登録される。
【００４９】
一方、図２（ｃ）に示すように、外出者用の通知情報テーブルには、住民ＩＤによって識別される住民毎に、スケジュールＩＤ、伝言メッセージＩＤ、その他の情報ＩＤが対応づけられて登録される。上記に説明したように、スケジュールＩＤは、住民によって対応づけて登録されたスケジュールのデータの識別情報であり、伝言メッセージＩＤは、住民の伝言履歴のデータの識別情報である。また、その他の情報ＩＤは、住民が所望する一般情報のデータの識別情報である。この一般情報のデータとしては、天気や株価の情報などが登録される。この一般情報は、予め住民が操作部３１を介して設定したアドレス情報に基づいて制御部２２が電話通信Ｉ／Ｆ２３及びインターネット網を介して当該アドレス情報によって特定されるサーバから取得される。
【００５０】
また、記憶部３０には、来訪者に応対するための来訪者応対情報としての応対用メッセージが記憶されている。この応対用メッセージは、住民に関係のある来訪者に対して応答する特定応対用メッセージと、不特定の来訪者に対して応答する不特定応対用メッセージと、に分けて記憶される。なお、特定応対用メッセージは、各住民によって個別に登録され、不特定応対用メッセージは、予め記憶されたメッセージの中から住民によって選択される。
【００５１】
個人照合処理部２５は、例えば、電話相手の電話機器３から通知された電話番号と、個人情報テーブルに登録されている電話番号と、を照合して判断部２２ｂにその照合結果を出力する。  
【００５２】
また、個人照合処理部２５は、玄関子機１からインターホン通信Ｉ／Ｆ２４を介して受信した画像信号に含まれる生体情報と、個人情報テーブルに登録されている来訪者や住民の生体情報と、を照合する。ここでは、個人照合処理部２５は、上記画像信号に係る、来訪者の顔画像を認識し、当該認識した顔画像と、個人情報テーブルに登録されている生体情報ＩＤに対応する生体情報としての顔画像とを照合し類似性の有無を判断し、判断部２２ｂに照合結果を出力する。なお、類似性が有る顔画像が個人情報テーブルに登録されている場合、当該顔画像に対応付けられた生体情報ＩＤが、上記照合結果に含まれることになる。
【００５３】
ここで、類似性の有無の判断手法は、公知であるので詳しい説明を省略するが、例えば、上記認識された顔画像から顔の特徴をよく表す顔特徴点（例えば、目、鼻、口など）が抽出され、これらの特徴点を結ぶ顔グラフが作成される。そして、作成された顔グラフと、後述する個人情報テーブルに登録された顔画像に基づき上記と同様に作成された顔グラフとの一致度の割合が算出され、その割合が所定値以上である場合に、類似性有りと判断される。
【００５４】
なお、上記抽出された顔画像と上記登録されている顔画像の向きが異なると、類似性が失われてしまうだけでなく、顔特徴点の検出もうまく行えなくなるという問題点が生じるため、最初に顔の向きを推定（例えば、右目、左目、及び口の３点を頂点とする三角形の形状から顔の向きを推定）し、その向きに応じて顔グラフを変換することで当該問題を解消することができる。
【００５５】
制御部２２は、例えばマイクロコンピュータ等からなり、当該コンピュータにより所定のプログラム（本発明の制御プログラムを含む）が実行されることにより、通信部２２ａ（通信手段の一例）、判断部２２ｂ（住民判断手段、外出判断手段の一例）、通知情報取得部２２ｃ（通知情報取得手段の一例）、検索部２２ｄ（検索手段の一例）、出力制御部２２ｅ（出力制御手段の一例）、稼動制御部２２ｆ（稼動制御手段の一例）として機能する。
【００５６】
通信部２２ａは、電話通信Ｉ／Ｆ２３及び電話回線Ｃを介して、電話相手の電話機器３との間で通信を行う。具体的には、電話通信部２２ａは、電話機器３から入力される着信信号に対して前記電話回線Ｃを閉結し、電話機器３から電話回線Ｃを介して送信されてきた音声信号（電話相手の音声信号）を電話通信Ｉ／Ｆ２３を介して受信し、当該音声信号をスピーカ２１に出力する。これにより、在宅者は、電話相手と通話することができる。
【００５７】
また、通信部２２ａは、電話通信Ｉ／Ｆ２３及び電話回線Ｃを介して、インターネット網に接続し、所定のアドレスによって特定されるサーバとの間で通信を行う。そして制御部２２は当該サーバとの間の通信によって所定の情報を取得し、記憶部３０に記憶する。これにより、ユーザが所望する情報を取得することが可能である。
【００５８】
また、通信部２２ａは、インターホン通信Ｉ／Ｆ２４及び通信ケーブルＫを介して、玄関子機１との間で通信を行う。例えば、通信部２２ａは、マイク２０により集音された住民の音声を取り込み、その音声信号をインターホン通信Ｉ／Ｆ２４及び通信ケーブルＫを介して玄関子機１に送信し、また、通信部２２ａは、玄関子機１から通信ケーブルＫを介して送信されてきた音声信号（来訪者の音声信号）をインターホン通信Ｉ／Ｆ２４を介して受信し、当該音声信号をスピーカ２１に出力する。これにより、住民は、来訪者と通話することができる。
【００５９】
判断部２２ｂは、個人照合処理部２５による照合結果に基づいて、玄関子機１からの画像信号に係る顔画像が住民のものであるか、住民に関係のある来訪者（個人情報テーブルに情報が登録されている登録者）のものであるか、或いは不特定の来訪者（個人情報テーブルに情報が登録されていない未登録者）のものであるかを判断する。これにより、来訪者又は住民を個人情報テーブルから特定することができる。
【００６０】
判断部２２ｂは、電話相手の電話機器３から通知された電話番号に対応する登録者を個人情報テーブルから特定し、その登録者に対応する住民ＩＤを取得する。
【００６１】
また、判断部２２ｂは、住民が特定された場合にその住民に対応する住民ＩＤを取得しておき、更に住民が外出か帰宅かを判断し、その判断結果を検索部２２ｄに出力する。住民の外出又は帰宅の判断は、図示しないが、例えば、玄関子機１に設けられた操作部１８に設けられている帰宅ボタン又は外出ボタンの押下によってインターホン通信Ｉ／Ｆ２４を介して受信された操作信号に基づいて行われる。
【００６２】
また、判断部２２ｂは、予め通知情報テーブルに登録されている住民の人数と、操作部１８の外出ボタン又は帰宅ボタンの操作によって算出される住民の外出人数又は帰宅人数と、を比較することで、すべての住民が外出したか又は住民の少なくとも一人が帰宅したかを判断し、その判断結果を稼動制御部２２ｆに出力する。
【００６３】
検索部２２ｄは、判断部２２ｂが住民の帰宅を判断した場合に、上記取得した住民ＩＤに対応付けられたスケジュールＩＤ、着信履歴ＩＤ、来訪者履歴ＩＤ、及び伝言メッセージＩＤを、記憶部３０に記憶されている帰宅者用の通知情報テーブルから特定する。そして、検索部２２ｄは、特定したスケジュールＩＤに対応付けられた当該住民のスケジュール、着信履歴ＩＤに対応付けられた着信履歴、来訪者履歴ＩＤに対応付けられた来訪者履歴、及び伝言メッセージＩＤに対応付けられた伝言メッセージを検索する。
【００６４】
一方、検索部２２ｄは、判断部２２ｂが住民の外出を判断した場合に、上記取得した住民ＩＤに対応付けられたスケジュールＩＤ、伝言メッセージＩＤ、及びその他の情報ＩＤを、記憶部３０に記憶されている帰宅者用の通知情報テーブルから特定する。そして、検索部２２ｄは、特定したスケジュールＩＤに対応付けられた当該住民のスケジュール、伝言メッセージＩＤに対応付けられた伝言メッセージ、及びその他の情報ＩＤに対応付けられた一般情報を検索する。
【００６５】
通知情報取得部２２ｃは、検索部２２ｄにより検索されたスケジュール、着信履歴、来訪者履歴、伝言メッセージ、又はその他の情報を通知情報として取得する。
【００６６】
また、通知情報は、上述したようにスケジュール、着信履歴、来訪者履歴、伝言メッセージ、又はその他の情報のすべてであっても良いし、例えば、予め住民が操作部１８の操作ボタン等を操作して通知すべき情報を適宜選択しておき、その選択された情報のみであっても良い。
【００６７】
出力制御部２２ｅは、通知情報取得部２２ｃにより取得された通知情報をインターホン通信Ｉ／Ｆ及び通信ケーブルＫを介して玄関子機１の通信Ｉ／Ｆ１９に送信する。そしてこの通知情報は、玄関子機１の通話制御部１３又は表示制御部４２によってスピーカ１２やモニタ４１から出力される
【００６８】
また、出力制御部２２ｅは、呼出音発生部２６による呼出音に在宅者が応じず、判断部２２ｂによって電話相手が特定されている場合に、当該電話相手に対応する登録者と関連する住民によって登録された留守用の応対メッセージを記憶部３０から取得して電話通信Ｉ／Ｆ２３及び電話回線Ｃを介して電話機器３に送信して登録者に対して報知する。一方、出力制御部２２ｅは、呼出音発生部２６による呼出音に在宅者が応じず、判断部２２ｂによって電話相手が特定できない場合に、通常の留守用の応対メッセージを記憶部３０から取得して電話通信Ｉ／Ｆ２３及び電話回線Ｃを介して電話機器３に送信して電話相手に対して報知する。
【００６９】
稼動制御部２２ｆは、判断部２２ｂの判断の結果、すべての住民が外出した場合には、節電状態となるように玄関子機１を稼動させ、住民の少なくとも一人が帰宅した場合には、節電状態から通常の稼動状態へと玄関子機１を稼動させる。
【００７０】
なお、制御部２２は、呼出音発生部２６による呼出に住民が不在などによって応じることができない場合には、未対応の着信履歴や来訪者の来訪履歴を作成し、記憶部３０の帰宅者用の通知情報テーブルの該当する住民に対応する着信履歴ＩＤ又は来訪者履歴ＩＤに対応づけて記憶する。
【００７１】
また、制御部２２は、出力制御部２２ｅによって報知された応対メッセージに対して電話相手、又は来訪者が応じた伝言メッセージを記憶部３０に記憶する。さらに、制御部２２は、住民がマイク２０を介して入力した他の住民に対しての伝言メッセージを記憶部３０に記録する。
【００７２】
また、制御部２２は、記憶部３０に記憶されている通知情報テーブルの各住民のスケジュールＩＤ、着信履歴ＩＤ、来訪者履歴ＩＤ、その他の情報ＩＤのそれぞれに対応づけられているスケジュール、着信履歴、来訪者履歴、伝言メッセージ、一般情報の追加、削除等が可能であり、例えば、住民に通知情報として着信履歴が通知された場合には、制御部２２により当該住民の着信履歴ＩＤに対応づけられている着信履歴の中から通知された着信履歴が削除される。
【００７３】
［２．通信装置の動作］
次に、図３乃至図６等を参照して、本実施形態に係る通信システムＳの動作例について説明する。図３は親機２における制御部２２の動作処理の一例を示すフローチャートである。
【００７４】
まず、玄関子機１に設けられている人感センサ１７によって来訪者又は住民が検知された場合に、カメラ１４によって当該来訪者又は住民が撮像された画像に係る画像信号が通信Ｉ／Ｆ１９、及び通信ケーブルＫを介して親機２のインターホン通信Ｉ／Ｆ２４に出力される。親機２の制御部２２は、玄関子機１から画像信号を受信すると、上述したように、個人照合処理部２５に当該画像信号に係る顔画像と個人情報テーブルに登録された顔画像とを照合させて、来訪者であるか住民であるかを判断する（ステップＳ１）。そして、来訪者である場合には、ステップＳ２の処理に進み、住民である場合には、ステップＳ３の処理に進む。
【００７５】
ステップＳ２では、親機２の制御部２２は、来訪者応答処理を行い、次の処理（ステップＳ１１）に進む。この来訪者応答処理では、親機２の制御部２２は、記憶部３０に記憶されている応答用メッセージを取得し、当該応答用メッセージを、インターホン通信Ｉ／Ｆ２４及び通信ケーブルＫを通じて玄関子機１の通信Ｉ／Ｆ１９に出力する。玄関子機１の通話制御部１３は、通信Ｉ／Ｆ１９を通じて受信した当該応答用メッセージをスピーカ１２から出力させる。なお、来訪者が登録者である場合には、親機２の制御部２２は、記憶部３０から特定応対用メッセージを取得する。一方、来訪者が登録者でない場合には、親機２の制御部２２は、記憶部３０から不特定応対用メッセージを取得する。また、親機２の制御部２２は、住民の留守などによって来訪者に応対できない場合には、記憶部３０に記憶された通知情報テーブルに登録されている住民の来訪者履歴ＩＤに対応する来訪者履歴のデータに新たな来訪者履歴のデータを追加して登録する。
【００７６】
一方、例えば操作部１８に設けられている帰宅ボタン又は外出ボタンが住民によって押下されることにより、その操作信号が通信Ｉ／Ｆ１９及び通信ケーブルＫを介して親機２のインターホン通信Ｉ／Ｆ２４に出力されると、親機２の制御部２２は、当該操作信号に基づいて住民が帰宅者であるか外出者であるかを判断し（ステップＳ３）、住民が帰宅者であれば、ステップＳ１で判断した住民の住民ＩＤを取得し、ステップＳ４の処理に進む。また、制御部２２は、住民が外出者であれば、ステップＳ１で判断した住民の住民ＩＤを取得して、ステップＳ７に進む。
【００７７】
ステップＳ４では、制御部２２は、上記取得した住民ＩＤに基づいて、当該住民のスケジュール、着信履歴、来訪者履歴、又は伝言メッセージのデータを検索し（例えば、住民ＩＤに対応するスケジュールＩＤに対応付けられたスケジュールを検索）、検索できた場合には、当該当該データを通知情報として取得して、インターホン通信Ｉ／Ｆ２４及び通信ケーブルＫを介して玄関子機１の通信Ｉ／Ｆ１９に出力する（ステップＳ５）。そして、玄関子機１の通話制御部１３は、当該通知情報をスピーカ１２から出力させる。
【００７８】
また、親機２の制御部２２は、玄関子機１の稼動モードが節電モードになっていれば、ノーマルモードに設定し（ステップＳ６）、次の処理（ステップＳ１１）に進む。ここで、稼動モードとは、端末（玄関子機１）の電力消費モードを示し、ノーマルモードとは通常の電力で端末を稼動する状態をいい、節電モードとは最小限必要な電力で端末を稼動する状態をいう。
【００７９】
ステップＳ７では、制御部２２は、記憶部３０に記憶されている外出者用の通知情報テーブルに登録されている住民ＩＤに対応づけられているスケジュールＩＤ、伝言メッセージＩＤ、その他の情報ＩＤに対応するスケジュール、伝言メッセージ、又は一般情報のデータが存在するか否かを判断し、外出者に通知すべきスケジュール、伝言メッセージ、又は一般情報のデータが存在すれば、当該データを通知情報として取得して、インターホン通信Ｉ／Ｆ２４及び通信ケーブルＫを介して玄関子機１の通信Ｉ／Ｆ１９に出力する（ステップＳ８）。そして、玄関子機１の通話制御部１３は、当該通知情報をスピーカ１２から出力させる。なお、外出者に通知すべき通知情報がなければ次の処理（ステップＳ９）に進む。
【００８０】
次に、ステップＳ９では、制御部２２は、予め登録された住民の人数と、操作部１８の外出ボタン又は帰宅ボタンの操作によって算出される住民の外出人数又は帰宅人数と、を比較することで、すべての住民が外出したか否かを判断し、この判断が肯定されれば、玄関子機１の稼動モードを節電モードに設定して、次の処理（ステップＳ１０）に進む。
【００８１】
ステップＳ１０では、親機２の電源がＯＦＦされれば処理を終了する。なお、一般的には、親機の電源がＯＦＦされることはないため、ステップＳ１の処理に戻ることとなる。
【００８２】
次に、図３のステップＳ８にて出力される通知情報の通知処理の一例について図４を用いて説明する。図４は外出時に住民に対して通知される通知情報の通知処理の一例を示すフローチャートである。ここでは、スケジュールが通知情報の一例として通知される場合の通知処理について説明する。
【００８３】
まず、制御部２２は、上述したステップＳ２及びステップＳ４の処理にて外出者の住民ＩＤを取得し、記憶部３０に記憶されている外出者用の通知情報テーブルに登録されている住民ＩＤのスケジュールＩＤを取得する（ステップＳ３０）。
【００８４】
次に、制御部２２は、当該スケジュールＩＤに対応するスケジュールを検索し、予め住民によって外出時に出力すべきスケジュールの登録が有るか否かを判断する（ステップＳ３１）。この判断が肯定されれば、スケジュールＩＤに対応するスケジュールの中から登録されたスケジュールを取得して、インターホン通信Ｉ／Ｆ２４を介して玄関子機１の通信Ｉ／Ｆ１９に出力する。そして、玄関子機１の表示制御部４２は、当該スケジュールをモニタ４１から出力する（ステップＳ３２）。なお、ステップＳ３１による判断が否定されれば、住民には何も通知せずに処理を終了する。
【００８５】
また、外出時に住民に対して通知される通知情報には、スケジュール以外に、例えば、図２（ｃ）に示すように、伝言メッセージＩＤに対応する伝言メッセージやその他の情報ＩＤに対応するその他の情報が存在する。よって、スケジュールの他にこれら伝言メッセージやその他の情報を通知情報として出力するようにしても構わない。この場合には、ステップＳ３０にて図２（ｃ）に記憶された住民ＩＤに対応するすべてのＩＤ（例えば、スケジュールＩＤ、伝言メッセージＩＤ、及びその他の情報ＩＤ）を取得し、その後のステップＳ３１〜ステップＳ３２の処理にて各ＩＤに対応する情報を通知情報として出力すれば良い。
【００８６】
このように本実施形態の通信装置Ｓは、住民が外出時に通知すべき通知情報を登録することによって、所望する通知情報を取得することが可能である。
【００８７】
次に、図３のステップＳ５にて出力される通知情報の通知処理の一例について図５を用いて説明する。図５は帰宅時に住民に対して通知される通知情報の通知処理の一例を示すフローチャートである。
【００８８】
まず、制御部２２は、上述したステップＳ２及びステップＳ４にて帰宅者の住民ＩＤを取得し、記憶部３０に記憶されている帰宅者用の通知情報テーブルに登録されている住民ＩＤに対応づけられているスケジュールＩＤ、着信履歴ＩＤ、来訪者履歴ＩＤ、伝言メッセージＩＤに対応するスケジュール、着信履歴、来訪者履歴、又は伝言メッセージのデータを取得する（ステップＳ４０）。
【００８９】
次に、制御部２２は、判断部２２ｂに取得したデータの中に未確認の伝言メッセージ、着信履歴、来訪者履歴のいずれか１つがあるか否かを判断させ（ステップＳ４１）、この判断が肯定されれば、少なくとも当該未確認の伝言メッセージ、着信履歴、来訪者履歴の１つを含むデータを通知情報としてインターホン通信Ｉ／Ｆ２４を介して玄関子機１の通信Ｉ／Ｆ１９に出力する。そして、玄関子機１の通話制御部１３又は表示制御部４２は、当該通知情報をスピーカ１２により登録の有無を通知し，モニタ４１に内容を出力する（ステップＳ４２）。
【００９０】
一方、ステップＳ４１による判断が否定されれば、制御部２２は、住民によって帰宅時に出力すべきスケジュールの登録が有るか否かを判断し（ステップＳ４３）、この判断が肯定されれば、記憶部３０に記憶されている通知情報テーブルに登録されている住民のスケジュールＩＤに対応するスケジュールの中から登録された当該スケジュールを取得して、インターホン通信Ｉ／Ｆ２４を介して玄関子機１の通信Ｉ／Ｆ１９に出力する。そして、玄関子機１の通話制御部１３は、当該スケジュールの内容をスピーカ１２から出力させる（ステップＳ４４）。
【００９１】
なお、ステップＳ４３による判断が否定されれば、ステップＳ４５に進む。
【００９２】
次に、ステップＳ４５では、帰宅者に通知すべき通知情報を作成し、当該作成した通知情報を親機２のモニタ４１やスピーカ１２から出力させ、処理を終了する。なお、親機２で通知情報を作成すると共に，玄関子機１で通知されたメッセージを通知情報テーブルから削除する。
【００９３】
このように本実施形態の通信装置Ｓは、住民が帰宅時に通知すべき通知情報の通知方法を設定することによって、所望する通知方法によって当該通知情報を取得することが可能である。
【００９４】
次に、記憶部３０に記憶される外出者用又は帰宅者用の通知情報テーブルの登録・編集・更新処理について図６を用いて説明する。図６は通知情報テーブルの登録・編集・更新処理の一例を示すフローチャートである。なお、この処理は、新たな未対応着信、伝言メッセージの登録、期限切れスケジュール、スケジュール登録のいずれか１つが発生した都度行われるものである。
【００９５】
まず、制御部２２は、住民不在などによって電話相手からの呼出信号に応じない未対応着信があるか否かを判断し（ステップＳ２０）、この判断が肯定されれば、個人照合処理部２５に電話相手の電話番号と個人情報テーブルに登録された電話番号とを照合させて、未対応着信の電話相手を特定するとともに、その電話相手と関係のある住民ＩＤを取得し、通知情報テーブルを更新する（ステップＳ２１）。この通知情報テーブルの更新とは、帰宅者用の通知情報テーブルに登録されている住民ＩＤに対応づけられている着信履歴ＩＤに対応する着信履歴のデータに新たな着信履歴のデータを追加して登録する処理である。一方、ステップＳ２０の判断が否定されればステップＳ２２に進む。
【００９６】
次に、ステップＳ２２では、制御部２２は、登録すべき新たな伝言メッセージがあるか否かを判断し、この判断が肯定されれば、新たな伝言メッセージに関連づけられる住民ＩＤを取得し、通知情報テーブルを更新する（ステップＳ２３）。この通知情報テーブルの更新とは、帰宅者用又は外出者用の通知情報テーブルに登録されている住民ＩＤに対応づけられている伝言メッセージＩＤに対応する伝言メッセージのデータに新たな伝言メッセージの音声データを追加して登録する処理である。一方、ステップＳ２２の判断が否定されれば、ステップＳ２４に進む。
【００９７】
次に、ステップＳ２４では、制御部２２は、帰宅者用及び外出者用の通知情報テーブルに登録されている住民ＩＤに対応づけられているスケジュールＩＤに対応するスケジュールから期限日情報を取得し、期限切れのスケジュールがあるか否かを判断し、この判断が肯定されれば、通知情報テーブルを更新する（ステップＳ２５）。この通知情報テーブルの更新とは、登録されたスケジュールの中から期限切れのスケジュールを削除して登録する処理である。一方、ステップＳ２４の判断が否定されれば、ステップＳ２６に進む。
【００９８】
次に、ステップＳ２６では、制御部２２は、登録すべき新たなスケジュールがあるか否かを判断させ、この判断が肯定されれば、新たなスケジュールに関連づけられる住民ＩＤを取得し、通知情報テーブルを更新し（ステップＳ２７）、処理を終了する。この通知情報テーブルの更新とは、帰宅者用及び外出者用の通知情報テーブルに登録されている住民ＩＤに対応づけられているスケジュールＩＤに対応するスケジュールのデータに新たなスケジュールのデータを追加して登録する処理である。一方、ステップＳ２６の判断が否定されれば、処理を終了する。
【００９９】
本実施形態の通信装置Ｓは、このようにして、着信履歴や、伝言メッセージ、住民のスケジュールが管理され、通知情報として当該管理された情報を記憶部３０に記憶するようになっている。
【０１００】
以上説明したように、上記実施形態によれば、上記通信装置Ｓでは、住民の外出、又は帰宅を判断して、住民に通知すべき通知情報（伝言メッセージ、来訪者履歴、着信履歴、スケジュールなど）を玄関子機１から知らせることができるので、親機２まで行って当該通知情報の有無を確認する必要がなくなり便利である。また、通信装置Ｓは、各住民を特定し、その住民に応じた通知情報を出力するようになっているので便利である。また、通知情報は、住民の外出又は帰宅を判断してその状況にあった情報を玄関子機１から知らせるようになっているので便利である。また、来訪者があった時は、その来訪者が特定できる場合と特定できない場合によって、更には来訪者がどの住民と関連するかに応じて応答メッセージを出力するようになっているので、来訪者に対して適切に応対することが可能である。また、すべての住民が外出した場合には、通信装置に用いられる消費電力を最小電力で稼動するようになっているので、電気コストの低減など省エネルギ化を図れる。
【０１０１】
なお、本願は本実施形態に限定されるものではなく、種々の形態にて実施することが可能である。例えば、本実施形態では生体情報として顔画像を取得するようになっているが、玄関子機１に他の生体情報を取得するための生体情報取得装置（例えば、指紋読取器）を設置し、住民又は来訪者の指紋情報を読み取って住民又は来訪者を特定するようにしても構わない。この場合、生体情報取得装置により読み取られた生体情報（例えば、指紋データ）は親機２に送信され、個人照合処理部２６は、当該指紋データと、個人情報テーブルに登録されている指紋データとを照合することにより来訪者を特定する。
【０１０２】
また、その他の生体情報（例えば、歩行によって発生する足音の波形パターンで個人を特定したり、歩き方（足の運び、腕の振りなど個人の歩き方の特徴）で個人を特定するなど）を取得することによって、来訪者や住民を特定するようにしても構わない。
【符号の説明】
【０１０３】
１  玄関子機
２  親機
１２  スピーカ
１３  通話制御部
１４  カメラ
１５  カメラ制御部
１６  画像信号制御部
１７  人感センサ
１８  操作部
２０  マイク
２２  制御部
２５  個人照合処理部
２９  記録制御部
３０  記憶部
Ｓ  通信装置
【図１】
2010258900.tif 000003
【図２】
2010258900.tif 000004
【図３】
2010258900.tif 000005
【図４】
2010258900.tif 000006
【図５】
2010258900.tif 000007
【図６】
2010258900.tif 000008